【手続補正書】
【提出日】平成17年12月26日(2005.12.26)
【手続補正１】
【補正対象書類名】特許請求の範囲
【補正対象項目名】全文
【補正方法】変更
【補正の内容】
【特許請求の範囲】
【請求項１】
連続相としてのフッ素化された溶媒、分散相としての電荷を帯びたピグメント粒子又はピグメント含有マイクロカプセル及び
（ｉ）連続相内に可溶性のフッ素化された電子受容性もしくはプロトン供与性化合物又はポリマー、及び分散相内に電子供与性もしくはプロトン受容性化合物又はポリマー；又は
（ｉｉ）連続相内に可溶性のフッ素化された電子供与性もしくはプロトン受容性化合物又はポリマー、及び分散相内に電子受容性もしくはプロトン供与性化合物又はポリマー
を含んで成る電荷制御剤
を含んで成る電気泳動ディスパージョン。
【請求項２】
該フッ素化された溶媒は、１．７〜３０の誘電率を有する請求項１に記載のディスパージョン。
【請求項３】
該フッ素化された溶媒は、１．７〜５の誘電率を有する請求項２に記載のディスパージョン。
【請求項４】
該フッ素化された溶媒は、パーフルオロアルカン、パーフルオロシクロアルカン、パーフルオロアリールアルカン、パーフルオロ−ｔｅｒｔ−アミン、パーフルオロポリエーテル、ハイドロフルオロポリエーテルからなる溶媒又は混合溶媒である請求項１に記載のディスパージョン。
【請求項５】
該フッ素化された溶媒は、ヘプタコサフルオロトリブチルアミン又はパーフルオロトリ−ｎ−ペンチルアミンである請求項４に記載のディスパージョン。
【請求項６】
該フッ素化された溶媒は、パーフルオロポリエーテル又はハイドロフルオロポリエーテルである請求項４に記載のディスパージョン。
【請求項７】
該フッ素化された溶媒は、トリフルオロ（トリフルオロメチル）オキシランホモポリマーである請求項４に記載のディスパージョン。
【請求項８】
該フッ素化された溶媒は、５０，０００より小さい分子量を有するポリマー又はオリゴマーである請求項１に記載のディスパージョン。
【請求項９】
該フッ素化された溶媒は、ポリ（パーフルオロプロピレンオキサイド）又はポリ（クロロトリフルオロエチレン）である請求項８に記載のディスパージョン。
【請求項１０】
該電子受容性もしくはプロトン供与性化合物又はポリマーは、アルキル、アリール、アリールアルキル又はアルキルアリールカルボン酸及びそれらの塩、アルキル、アリール、アリールアルキル又はアルキルアリールスルホン酸及びそれらの塩、テトラアルキルアンモニウム及び他のアルキルアリールアンモニウム塩、ピリジニウム塩及びそれらのアルキル、アリール、アルキルアリール又はアリールアルキル誘導体、スルホンアミド、パーフルオロアミド、アルコール、フェノール、サリチル酸及びそれらの塩、アクリル酸、スルホエチルメタクリレート、スチレンスルホン酸、イタコン酸、マレイン酸、ハイドロゲンヘキサフルオロホスフェート、ハイドロゲンヘキサフルオロアンチモネート、ハイドロゲンテトラフルオロボレート、ハイドロゲンヘキサフルオロアルゼネート（Ｖ）及び電子欠乏性金属基含有有機金属化合物又はコンプレックスから成る群から選択される請求項１に記載のディスパージョン。
【請求項１１】
該電子欠乏性金属基は、スズ、亜鉛、マグネシウム、銅、アルミニウム、クロム、チタン、コバルト又はジルコニウムである請求項１０に記載のディスパージョン。
【請求項１２】
該電子欠乏性金属基は、銅、アルミニウム、チタン又はジルコニウムである請求項１１に記載のディスパージョン。
【請求項１３】
該電子欠乏性金属基は、ジルコニウム又は銅である請求項１２に記載のディスパージョン。
【請求項１４】
該電子受容性もしくはプロトン供与性化合物又はポリマーは、プロトン化されたポリビニルピリジンコポリマー又はその四級塩である請求項１に記載のディスパージョン。
【請求項１５】
該電子受容性もしくはプロトン供与性化合物又はポリマーは、ジルコニウム（テトラアセトアセテート）である請求項１に記載のディスパージョン。
【請求項１６】
該電子供与性もしくはプロトン受容性化合物又はポリマーは、アミン、ピリジン、グアニジン、ウレア、チオウレア、イミダゾール、テトラアリールボレート及びそれらのアルキル、アリール、アルキルアリール、又はアリールアルキル誘導体から成る群から選択される請求項１に記載のディスパージョン。
【請求項１７】
該電子供与性もしくはプロトン受容性化合物又はポリマーは、２−ビニルピリジン、４−ビニルピリジン又は２−Ｎ，Ｎ−ジメチルアミノエチルアクリレートもしくはメタクリレートと、スチレン、アルキルアクリレートもしくはメタクリレート、アリールアクリレートもしくはメタクリレートとのコポリマーである請求項１６に記載のディスパージョン。
【請求項１８】
該電子供与性もしくはプロトン受容性化合物又はポリマーは、ポリ（４−ビニルピリジン−コ−スチレン）、ポリ（４−ビニルピリジン−コ−メチルメタクリレート）又はポリ（４−ビニルピリジン−コ−ブチルメタクリレート）である請求項１７に記載のディスパージョン。
【請求項１９】
該アミンは、ｔｅｒｔ−アミン又はｔｅｒｔ−アニリンである請求項１６に記載のディスパージョン。
【請求項２０】
該フッ素化された電子受容性もしくはプロトン供与性化合物又はポリマーは、フッ素化されたアルキル、アリール、アルキルアリール又はアリールアルキルカルボン酸、フッ素化されたアルキル、アリール、アルキルアリール又はアリールアルキルスルホン酸、フッ素化されたスルホンアミド、フッ素化されたカルボキサミド、フッ素化されたアルコール、フッ素化されたエーテルアルコール、フッ素化されたフェノール、フッ素化されたサリチル酸、フッ素化されたピリジニウム塩もしくは四級アンモニウム塩、ハイドロゲンテトラフルオロボレート、ハイドロゲンヘキサフルオロホスフェート、ハイドロゲンヘキサフルオロアンチモネート、ハイドロゲンヘキサフルオロアルゼネート（Ｖ）及び電子欠乏性金属基含有フッ素化された有機金属化合物又はフッ素化されたコンプレックスから成る群から選択される請求項１に記載のディスパージョン。
【請求項２１】
該電子欠乏性金属基は、スズ、亜鉛、マグネシウム、銅、コバルト、アルミニウム、クロム、チタン又はジルコニウムである請求項２０に記載のディスパージョン。
【請求項２２】
該電子受容性もしくはプロトン供与性化合物又はポリマーは、金属パーフルオロアセトアセトネート、フッ素化されたキノリノール金属コンプレックス又は金属フタロシアニンである請求項２０に記載のディスパージョン。
【請求項２３】
該金属パーフルオロアセトアセトネートは、ジルコニウム又は銅パーフルオロアセトアセトネートである請求項２２に記載のディスパージョン。
【請求項２４】
該フッ素化されたキノリノール金属コンプレックスは、フッ素化されたキノリノールＡｌコンプレックスである請求項２２に記載のディスパージョン。
【請求項２５】
該金属フタロシアニンは、銅、亜鉛又はマグネシウムフタロシアニンである請求項２２に記載のディスパージョン。
【請求項２６】
該フッ素化された電子受容性もしくはプロトン供与性化合物又はポリマーは、パーフルオロカルボン酸である請求項２０に記載のディスパージョン。
【請求項２７】
該フッ素化された電子受容性もしくはプロトン供与性化合物又はポリマーは、ポリ（ヘキサフルオロプロピレンオキサイド）カルボン酸である請求項２６に記載のディスパージョン。
【請求項２８】
該フッ素化された電子供与性もしくはプロトン受容性化合物又はポリマーは、フッ素化されたアミン、フッ素化されたピリジン、フッ素化されたアルキルもしくはアリールグアニジン、フッ素化されたウレア、フッ素化されたチオウレア、フッ素化されたテトラボレート及びそれらの誘導体から成る群から選択される請求項１に記載のディスパージョン。
【請求項２９】
該フッ素化されたアミンは、フッ素化されたｔｅｒｔ−アミン又はｔｅｒｔ−アニリンである請求項２８に記載のディスパージョン。
【請求項３０】
該フッ素化されたアミンは、パーフルオロポリエーテルの誘導体である請求項２９に記載のディスパージョン。
【請求項３１】
該フッ素化されたアミンは、多官能価アミン及びパーフルオロポリエーテルメチルエステル又はパーフルオロポリエーテルイソシアネートの予備的縮合物である請求項３０に記載のディスパージョン。
【請求項３２】
（ｉ）のプロトン受容体及びフッ素化されたプロトン供与体又は（ｉｉ）のプロトン供与体及びフッ素化されたプロトン受容体の各々は、ピグメント粒子又はピグメント含有マイクロカプセルの０．０５〜３０重量％の量で存在する請求項１に記載のディスパージョン。
【請求項３３】
（ｉ）のプロトン受容体及びフッ素化されたプロトン供与体又は（ｉｉ）のプロトン供与体及びフッ素化されたプロトン受容体の各々は、ピグメント粒子又はピグメント含有マイクロカプセルの０．５〜１５重量％の量で存在する請求項３２に記載のディスパージョン。
【請求項３４】
該分散相は、ポリマーマトリックスを用いてマイクロカプセル化された又はコートされたピグメント粒子を含んで成る請求項１に記載のディスパージョン。
【請求項３５】
該マイクロカプセル化された又はコートされたピグメント粒子は、反応性電荷制御剤を用いる界面又は現場重合／架橋反応によって製造される請求項３４に記載のディスパージョン。
【請求項３６】
該反応性電荷制御剤は、少なくとも一つの反応性部分を有する、電子供与性もしくはプロトン受容性又は電子受容性もしくはプロトン供与性化合物又はポリマーから成る群から選択される請求項３５に記載のディスパージョン。
【請求項３７】
該反応性電荷制御剤は、不飽和二重結合、一級又は二級アミン、アニリン、ウレア、チオウレア、アルコール、チオール、イソシアネート、チオイソシアネート、イミン、エポキサイド、酸無水物、酸クロライド及びクロロホルメートから成る群から選択される少なくとも一の反応性官能性部分を含む請求項３６に記載のディスパージョン。
【請求項３８】
該マイクロカプセルを、不飽和二重結合を有する反応性電荷制御剤を用いる現場ラジカル重合をともなうマイクロカプセル化によって製造する請求項３４に記載のディスパージョン。
【請求項３９】
該反応性電荷制御剤は、２−ビニルピリジン、４−ビニルピリジン、Ｎ，Ｎ−ジメチルアミノエチルアクリレート、メタクリル酸、アクリル酸、スチレンスルホン酸、イタコン酸、マレイン酸又はそれらの塩、それらのコポリマー及び誘導体である請求項３８に記載のディスパージョン。
【請求項４０】
該マイクロカプセルを、反応性電荷制御剤を用いる現場縮合重合又は架橋をともなうマイクロカプセル化によって製造する請求項３４に記載のディスパージョン。
【請求項４１】
該反応性電荷制御剤は、トリエタノールアミン、ジエタノールアニリン、１−［Ｎ，Ｎ−ビス（２−ヒドロキシエチル）アミノ］−２−プロパノール、トリス−（２−アミノエチル）アミン、Ｎ，Ｎ−（２−ヒドロキシエチル）アニリン、Ｎ，Ｎ，Ｎ’，Ｎ’−テトラキス（２−ヒドロキシプロピル）エチレンジアミン、Ｎ，Ｎ，Ｎ’，Ｎ’−テトラキス（２−ヒドロキシエチル）エチレンジアミン及びそれらの誘導体である請求項４０に記載のディスパージョン。
【請求項４２】
該マイクロカプセルを、反応性電荷制御剤を用いる界面重合又は架橋をともなうマイクロカプセル化によって製造する請求項３４に記載のディスパージョン。
【請求項４３】
該反応性電荷制御剤は、４−アミノメチルピリジン、１−（２−アミノエチル）ピペラジン、１−（３−アミノプロピル）イミダゾール又はスルホン化ポリイソシアネート又はそれらの塩である請求項４２に記載のディスパージョン。
【請求項４４】
該反応性電荷制御剤は、チオール、ヒドロキシ、アミド、一級及び二級アミン又はアニリン、ウレア、チオウレア、イミン、イソシアネート、チオイソシアネート、エポキサイド、シラン、酸無水物、酸クロライド及びクロロホルメート、及び不飽和二重結合から成る群から選択される少なくとも一の反応性官能性部分を有する、フッ素化された反応性電子受容性もしくはプロトン供与性又は電子供与性もしくはプロトン受容性化合物又はポリマーである請求項３５に記載のディスパージョン。
【請求項４５】
該反応性官能性部分は、アミン、ヒドロキシ、チオール、イソシアネート又はチオイソシアネートである請求項４４に記載のディスパージョン。
【請求項４６】
該反応性電荷制御剤は、完全にフッ素化されている請求項４４に記載のディスパージョン。
【請求項４７】
反応性電荷制御剤を用いる界面重合又は架橋反応をともなうカプセル化を行い、その後、溶媒の蒸発又は内相内で現場重合又は架橋反応を行いマイクロカプセルを硬化することによって、該マイクロカプセルを製造する請求項３４に記載のディスパージョン。
【請求項４８】
（ａ）少なくとも一方が透明である、上層と下層、
（ｂ）二つの層の間に挟まれたセルのアレイ
を含んで成る電気泳動ディスプレイであって、
セルは、電気泳動ディスパージョンによって満たされており、
そのディスパージョンは、連続相としてのフッ素化された溶媒、分散相としての電荷を帯びたピグメント粒子、及び
（ｉ）連続相内に、可溶性のフッ素化された電子受容性もしくはプロトン供与性化合物又はポリマーを、及び分散相内に、電子供与性もしくはプロトン受容性化合物又はポリマーを；又は
（ｉｉ）連続相内に、可溶性のフッ素化された電子供与性もしくはプロトン受容性化合物又はポリマーを、及び分散相内に、電子受容性もしくはプロトン供与性化合物又はポリマーを含んで電荷制御剤
を含んで成る電気泳動ディスプレイ。
【請求項４９】
該セルは、マイクロカップにより製造し、ポリマーのシーリング層によって個々にシールする請求項４７に記載の電気泳動ディスプレイ。
【請求項５０】
該セルは、マイクロカプセルである請求項４７に記載の電気泳動ディスプレイ。
【請求項５１】
上層と下層の両方は、電極プレートであり、該ディスプレイは、常套のアップ／ダウン・スイッチング・モードを有する請求項４７に記載の電気泳動ディスプレイ。
【請求項５２】
上層と下層の一方は、電極プレートであり、他方は、絶縁体層であり、該ディスプレイは、イン−プレイン・スイッチング・モードを有する請求項４７に記載の電気泳動ディスプレイ。
【請求項５３】
上層と下層の両方が、電極プレートであり、該ディスプレイは、デュアル−スイッチング・モードを有する請求項４７に記載の電気泳動ディスプレイ。
【請求項５４】
該電荷制御剤は、同一の分子内に、（ｉ）の該可溶性のフッ素化された電子受容性もしくはプロトン供与性化合物又はポリマー、及び該電子供与性もしくはプロトン受容性化合物又はポリマー、又は（ｉｉ）の該可溶性フッ素化された電子供与性もしくはプロトン受容性化合物又はポリマー、及び該電子受容性もしくはプロトン供与性化合物又はポリマーを有する請求項１に記載のディスパージョン。
【請求項５５】
電荷制御剤は、パーフルオロエステルと、トリス（２−アミノエチル）アミン、１−［Ｎ，Ｎ−ビス（２−ヒドロキシエチル）アミノ］２−プロパノール又はそれらの誘導体から製造される縮合生成物である請求項５４に記載のディスパージョン。
【請求項５６】
該同一分子は、分散相内の粒子と共有結合で結合している請求項５４に記載のディスパージョン。
【請求項５７】
連続相としてのフッ素化された溶媒、分散相としての電荷を帯びたピグメント粒子又はピグメント含有マイクロカプセル及び
可溶性のフッ素化された供与体／受容体部分と相補的な受容体／供与体部分を同一分子内に含んで成る電荷制御剤
を含んで成る電気泳動ディスパージョンであって、
該フッ素化された供与体／受容体部分は、連続相と相溶性であり、相補的な受容体／供与体部分は、連続相と非相溶性である電気泳動ディスパージョン。
【請求項５８】
該フッ素化された溶媒は、２０，０００より小さい分子量を有するポリマー又はオリゴマーである請求項８に記載のディスパージョン。